(57)【要約】【課題】本発明は、ライザーカードを容易にマザーボードに固定できるライザーカード固定装置を提供することである。【解決手段】本発明に係るライザーカード固定装置は、底板と、マザーボードと、ライザーカードを固定する固定板と、を備え、底板にはマザーボードを貫通する２つのポールが設けられ、ポール其々の内部には一端に当止部が設置される弾性部が設けられ、当止部の一部が、ポールの側面から延在し、固定板の端部其々には、支持部が設けられ、支持部其々には、係合孔が設けられ、ライザーカードがマザーボードに接続された場合、ポールが支持部の係合孔内に進入し、係合孔の内壁が当止部を押圧し、弾性部を弾性変形させ、当止部をポール内に収容させ、支持部がマザーボードの上面に当接されると、当止部が係合孔の内壁に押圧されなくなり、弾性部の弾性復帰によってポール内から弾き出され支持部の上面に係止される。【選択図】図１
2014002732.tif 000002
【特許請求の範囲】
【請求項１】
マザーボードが設置されている底板と、
前記マザーボードに接続されるライザーカードを固定する固定板と、
を備えているライザーカード固定装置であって、
前記底板には、前記マザーボードを貫通する２つのポールが設けられており、
前記ポールそれぞれの内部には、一端に当止部が設置されている弾性部が設けられており、
前記当止部の一部が、前記ポールの側面から延在しており、
前記固定板の端部それぞれには、支持部が設けられており、
前記支持部それぞれには、係合孔が設けられており、
前記ライザーカードが前記マザーボードに接続された場合には、前記ポールそれぞれが前記支持部の前記係合孔内に進入し、これにより前記係合孔の内壁が前記当止部を押圧し、対応する前記弾性部を弾性変形させ、前記当止部を前記ポール内に収容させ、前記支持部が前記マザーボードの上面に当接されると、前記当止部が前記係合孔の内壁に押圧されなくなり、前記弾性部が弾性復帰することによって前記ポール内から弾き出され、且つ、対応する前記支持部の上面に係止されることを特徴とするライザーカード固定装置。
【請求項２】
前記支持部それぞれが、ベースと、前記ベースの上面から延在している起立部とを備えており、
前記支持部の前記係合孔が、対応する前記ベースの上面及び底面を貫通しており、
前記当止部が、対応する前記支持部の前記ベースの上面に係止されており、
前記起立部それぞれの後側には、ピンが、前記固定板の端部それぞれに係合するために設けられていることを特徴とする請求項１に記載のライザーカード固定装置。
【請求項３】
前記起立部それぞれの前側には、対応する前記係合孔と連通している溝部が設けられており、
前記ポールそれぞれの上部が、前記溝部に係合されることを特徴とする請求項２に記載のライザーカード固定装置。
【請求項４】
前記固定板の底部が、前記ベースの上面に支持されることを特徴とする請求項２又は３に記載のライザーカード固定装置。
【請求項５】
前記固定板の一端には、差し板が前記固定板に対して垂直に延在しており、
前記差し板の裏面には、拡張ボードを固定するための固定片が設けられていることを特徴とする請求項１〜４のいずれか一項に記載のライザーカード固定装置。
【請求項６】
前記差し板の外面には、Ｌ字状のフックが設けられており、
前記フックが、前記キャビネットの側壁に固定されることを特徴とする請求項５に記載のライザーカード固定装置。
【請求項７】
前記固定板には、前記固定板の長手方向に沿って前記ライザーカードのコネクタを貫通させるためのスロットが設けられていることを特徴とする請求項１〜６のいずれか一項に記載のライザーカード固定装置。
【請求項８】
前記ポールそれぞれには、開口を備えた収容孔が形成されており、
前記弾性部の他端が、対応する前記収容孔の前記開口に対向する内壁に連接されていることを特徴とする請求項１〜７のいずれか一項に記載のライザーカード固定装置。
【発明の詳細な説明】
【技術分野】
【０００１】
本発明は、ライザーカード固定装置に関する。
【背景技術】
【０００２】
従来の技術では、ライザーカードは、最初にマザーボードに接続された後に、拡張ボードやハードディスク等に接続される。これにより、拡張ボードやハードディスク等がマザーボードに接続可能とされる。しかしながら、ライザーカードは、マザーボードに固定されていないので、振動を受けるとマザーボードから脱離し、これによりマザーボードと拡張ボードやハードディスク等との間に流れる電気的信号が中断されるという危険性があった。
【発明の概要】
【発明が解決しようとする課題】
【０００３】
本発明の目的は、上述の課題を解決するために、ライザーカードを容易にマザーボードに固定可能なライザーカード固定装置を提供することである。
【課題を解決するための手段】
【０００４】
上述の目的を達成するために、本発明に係るライザーカード固定装置は、マザーボードが設置されている底板と、マザーボードに接続されるライザーカードを固定する固定板と、を備えているライザーカード固定装置であって、底板には、マザーボードを貫通する２つのポールが設けられており、ポールそれぞれの内部には、一端に当止部が設置されている弾性部が設けられており、当止部の一部が、ポールの側面から延在しており、固定板の端部それぞれには、支持部が設けられており、支持部それぞれには、係合孔が設けられており、ライザーカードがマザーボードに接続された場合には、ポールそれぞれが支持部の係合孔内に進入し、これにより係合孔の内壁が当止部を押圧し、対応する弾性部を弾性変形させ、当止部をポール内に収容させ、支持部がマザーボードの上面に当接されると、当止部が係合孔の内壁に押圧されなくなり、弾性部が弾性復帰することによってポール内から弾き出され、且つ、対応する支持部の上面に係止される。
【発明の効果】
【０００５】
本発明におけるライザーカード固定装置では、ライザーカードを固定板に固定させた後に、当該固定板をマザーボードが設置されている底板に固定させることによって、ライザーカードをマザーボードに容易に固定することができる。
【図面の簡単な説明】
【０００６】
【図１】本発明の実施形態に係るライザーカード固定装置とライザーカード及び拡張ボードとの分解図である。
【図２】図１に示すライザーカード固定装置の支持部とライザーカードが固定板に固定された状態を示す図である。
【図３】図２に示すライザーカード固定装置の別の視角から見た図である。
【図４】図１に示すライザーカード固定装置の組立斜視図である。
【図５】図４に示すライザーカード固定装置のＶ−Ｖ線に沿った切断面の局部を示す図である。
【発明を実施するための形態】
【０００７】
図１及び図５に表わすように、本発明の一の実施形態では、ライザーカード固定装置は、拡張ボード５０をマザーボード１１に接続するためのライザーカード４０を固定するために利用される。ライザーカード固定装置は、キャビネットの底板１０と、固定板２０と、固定板２０の一の側端から直角に延在している差し板３０とを備えている。
【０００８】
マザーボード１１は、底板１０上に設置されている。底板１０には、それぞれがマザーボード１１を貫通してマザーボード１１の上面に突出している２つのポール１２が設けられている。また、マザーボード１１の上面に且つ２つのポール１２の間には、一のコネクタ１４が設けられている。ポール１２の頂部には、錘状に形成された頭部が設けられている。ポール１２それぞれの頭部の近傍には、マザーボード１１の上面に対して平行に延在している一の収容孔１２０が形成されている。収容孔１２０それぞれの内部には、弾性部材１２２が収容されている。弾性部材１２２それぞれの両端は、それぞれ対応する収容孔１２０の開口に対向する内壁及び当止部１２４に連接されている。当止部１２４は、球状の形態とされ、対応する収容孔１２０の開口（すなわち、対応するポールの側面）から部分的に突出している。当該実施形態では、弾性部材１２２はスプリングである。
【０００９】
固定板２０の中央部には、スロット２２が固定板２０の長手方向に沿って設けられている。固定板２０の端部それぞれには、２つの貫通孔２６０が設けられており、固定板２０のスロット２２の端部それぞれの近傍には、２つの係合孔２４が設けられている。また、２つの支持部２８が、ネジ６０によって固定板２０に固定される。
【００１０】
支持部２８それぞれが、Ｌ字状に形成されており、ベース２８０と、ベース２８０の上面の後側（すなわち、図１を参照すると、固定板２０に対向する側）の近傍から垂直に延在している起立部２８２とを備えている。ベース２８０には、ベース２８０の上面及び底面を貫通する係合孔２８４が形成されている。係合孔２８４それぞれが、円柱状の上部と円錐状の下部２９２とを備えている。起立部２８２それぞれの前側（すなわち、当該後側に相対する側）には、Ｃ字状の溝部２８６が、対応するベース２８０に対して垂直に設けられている。溝部２８６それぞれが、対応する係合孔２８４と連通しており、且つ、開口が、前側に向かっている。起立部２８２それぞれの上端部に形成されているネジ穴２８８は、起立部２８２の前側及び後側を貫通しており、対応する溝部２８６と連通している。起立部２８２それぞれの後側には、ピン２９０が突出した状態で設けられている。
【００１１】
図２及び図３を参照すると、２つの起立部２８２のピン２９０それぞれは、前方から後方に向かって、固定板２０の側端それぞれの２つの貫通孔２６０に係合される。２つのネジ６０それぞれは、後方から前方に向かって、固定板２０の他の２つの貫通孔２６０を貫通して、支持部２８の対応するネジ穴２８８に螺合される。これによって、２つの支持部２８は、固定板２０の前側の端側にそれぞれ固定される。固定板２０の底部は、支持部２８のベース２８０の上面の後側に当接される。
【００１２】
固定板２０の一端には、差し板３０が、前方から後方に向かって（すなわち、固定板２０に離れる方向に）垂直に延在している。差し板３０は、拡張ボード５０を固定するために利用される。差し板３０の裏面（固定板２０に近接する差し板３０の表面）の端部それぞれの下部には、２つの固定片３２が固定板２０の長手方向に対して平行に延在している。固定片３２それぞれには、貫通孔３２０が設けられている。差し板３０の自由端の外面（固定板２０から離隔している差し板３０の表面）の上部には、Ｌ字状に形成されたフック３４が設けられている。
【００１３】
ライザーカード４０の底部には、接続部４２が形成されており、ライザーカード４０の後側（固定板２０に対向する側）には、コネクタ４４が設けられている。ライザーカード４０の端部それぞれには、貫通孔４６が形成されている。
【００１４】
拡張ボード５０の前側には、接続部５２が設置されている。拡張ボード５０の端部それぞれには、貫通孔５４が形成されている。
【００１５】
図４及び図５に表わすように、ライザーカード固定装置を組み立てる際には、最初にライザーカード４０のコネクタ４４を固定板２０のスロット２２に前側から挿入し、ライザーカード４０を固定板２０の前側に当接させる。その後に、４つのネジ６０それぞれを貫通孔４６に貫通させ、固定板２０の係合孔２４それぞれに螺合させる。これにより、ライザーカード４０が固定板２０の前側に固定される。
【００１６】
次に、拡張ボード５０の接続部５２をライザーカード４０のコネクタ４４に接続させ、２つのネジ６０それぞれを貫通孔５４と差し板３０の貫通孔３２０とに貫通させた後に、２つのナット７０それぞれと螺合させる。これにより、拡張ボード５０が差し板３０に固定される。他の実施形態では、拡張ボード５０を固定する必要がない場合には、差し板３０を省略することができる。
【００１７】
その後に、２つのポール１２が円錐孔２９２及び対応する係合孔２８４を貫通するように、且つ、ライザーカード４０の接続部４２がマザーボード２０のコネクタ１４に接続されるように、上方から下方に向かって固定板２０をマザーボード１０に装着させる。このときに、当止部１２４が対応する係合孔２８４の上部の内壁に押されることによって、対応する弾性部材１２２が弾性変形される。これにより、当止部１２４が対応する収容孔１２０内に完全に収容される。弾性部材１２２が配置されたポール１２の箇所が、対応する係合孔２８４を通じて対応するベース２８０の上面に到達すると、当止部１２４が、係合孔２８４の内壁に押圧されなくなるので、弾性部材１２２が弾性復帰することによって、当止部１２４が対応する収容孔１２０から弾き出される。このとき、当止部１２４は、対応するベース２８０の上面に係止されており、ポール１２の上部の後側は、対応する溝部２８６に係合されている。ベース２８０がマザーボード１１の上面に当接されるので、固定板２０はマザーボード２０の上面に固定される。
【００１８】
最後に、フック３４をキャビネットの一つの側壁（図示しない）に係合することによって、固定板２０及び差し板３０を堅固にキャビネット内に固定する。当該実施形態では、ポール１２を係合孔２８４内に容易に挿入可能とするために、円錐孔２９２が係合孔２８４に設けられている。しかしながら、他の実施形態では、円錐孔２９２及び溝部２８６を省略する場合がある。さらには、フック３４も省略することができる。
【００１９】
ライザーカード４０及び拡張ボード５０をマザーボード１１から取り外す際には、差し板３０の後端を固定板２０に向かって移動させることによって、フック３４を対応するキャビネットの一つの側壁から脱離させる。次に、当止部１２４を押圧し、当止部１２４それぞれを対応する収容孔１２０に進入させ、固定板２０を上方に持ち上げることによって、固定板２０をマザーボード１１から取り外すことができる。最後に、ネジ６０を取り外せば、拡張ボード５０又はライザーカード４０を容易に取り外すことができる。
【００２０】
以上、本発明について実施例に基づいて詳述した。しかしながら、本発明は、上述の実施例に限定される訳ではない。本発明の技術的範囲は、特許請求の範囲の記載に基づいて決定されるものであり、その要旨を逸脱しない範囲内において様々な変更が可能であることは言うまでもない。
【符号の説明】
【００２１】
１０  底板
１１  マザーボード
１２  ポール
１４  コネクタ
２０  固定板
２２  スロット
２４  係合孔
２８  支持部
３０  差し板
３２  固定片
３４  フック
４０  ライザーカード
４２  接続部
４４  コネクタ
４６  貫通孔
５０  拡張ボード
５２  接続部
５４  貫通孔
６０  ネジ
７０  ナット
１２０  収容孔
１２２  弾性部
１２４  当止部
２６０  貫通孔
２８０  ベース
２８２  起立部
２８４  係合孔
２８６  溝部
２８８  ネジ穴
２９０  ピン
２９２  円錐孔
３２０  貫通孔
【図１】
2014002732.tif 000003
【図２】
2014002732.tif 000004
【図３】
2014002732.tif 000005
【図４】
2014002732.tif 000006
【図５】
2014002732.tif 000007